(57)【要約】      （修正有）【課題】刃物の刃先の台金よりの突出長±が調整容易で、又振動で緩んで刃先の突出量が変化しない回転刃物装置を提供する。【解決手段】刃物１１の先端の突出長さを予め設定して裏座１２に交換可能に刃物が装着され、刃物が装着された裏座が挿入される固定溝１０と所望の間隔を開けて平行壁１４を構成するように切欠部を台金の表面から形成し、切欠部の平行壁の壁面に裏座の側面に設けた固定凹みに対してほぼ垂直にネジ孔１５を形成し、ネジ孔に固定ネジ１６を係合挿入して裏座を垂直に固定ネジで押える。【選択図】      図１
2004181907.tif 000002
【特許請求の範囲】
【請求項１】
円筒状の台金と、該台金の円周に設けた複数の円筒の円の中心を通る線に平行に所望の幅で、所望の深さの固定溝と、該固定溝に挿入されて側面に円弧状の固定凹みを設けた裏座と、該裏座の固定凹みに対向する側面に沿って交換可能に装着され、前記裏座より予め決められた長さに刃先が突出される刃物と、前記固定溝の固定凹みが設けられた前記固定溝の側壁と所望の間隔を開けて平行壁となるように設けた切欠部と、該切欠部の平行壁面から前記固定溝に向けて直交方向に設けた複数のネジ孔と、該ネジ孔に嵌合される固定ネジとからなり、前記刃物を固定した前記裏座を前記固定溝に挿入し、前記切欠部の平行壁のネジ孔に前記固定ネジを嵌合して前記裏座の側面の固定凹みに垂直方向から挿入した前記固定ネジで固定することにより、前記刃物を前記裏座とともに前記固定溝に固定することを特徴とする回転刃物装置。
【請求項２】
前記固定ネジと前記裏座の間にボールを挿入することを特徴とする請求項１記載の回転刃物装置。
【請求項３】
前記固定ネジの先端を円弧状に形成することを特徴とする請求項１記載の回転刃物装置。
【発明の詳細な説明】
【０００１】
【発明の属する技術分野】
本発明は、刃物が裏座によって確実に固定されるようにした木材加工用の回転刃物装置に関するものである。
【０００２】
【従来の技術】
この種の回転刃物装置としては、図３に示すように、円筒状の台金１のほほ４カ所に固定溝２が形成され、この固定溝２に刃物３が側面に固定された裏座４が挿入され、この裏座４は中心ネジ孔４ａが形成され、この中心ネジ孔４ａに裏座４の挿入高さを調整する調整ネジ５が嵌合され、さらに、裏座４の刃物３と対向する側面に受け面４ｂが形成され、この受け面４ｂに向けて、台金１の表面から斜めに固定ネジ孔６が形成され、この固定ネジ孔６に固定ネジ７が係合され、この固定ネジ７の先端に球状の押え部材８が装着されており、裏座４に固定された刃物３が斜めに形成された固定ネジ孔５に挿入係合される固定ネジ７によって押えられているものが提案されている（特許第３０３５４２４号参照）。
【０００３】
【発明が解決しようとする課題】
しかしながら、このように構成された回転刃物装置では、刃物３の刃先３ａが台金１の表面から突出される長さを裏座４のネジ孔４ａに挿入係合された調整ネジ５によって調整しなければならず、又、裏座４を固定する固定ネジ孔６を台金１の表面から斜めに形成するために、加工が非常に困難であり、又、斜めの固定ネジ孔６に挿入係合された固定ネジ７に装着した球状押え部材８によって裏座４を斜めに点で固定するために、裏座４が振動によって緩んだり、又、調整ネジ５が振動で緩んで、刃物３の刃先３ａの突出量が変化し、加工する木材が均一に削れないという問題があった。
【０００４】
【課題を解決するための手段】
本発明は、円筒状の台金と、該台金の円周に設けた複数の円筒の円の中心を通る線に平行に所望の幅で、所望の深さの固定溝と、該固定溝に挿入されて側面に円弧状の固定凹みを設けた裏座と、該裏座の固定凹みに対向する側面に沿って交換可能に装着され、前記裏座より予め決められた長さに刃先が突出される刃物と、前記固定溝の固定凹みが設けられた前記固定溝の側壁と所望の間隔を開けて平行壁となるように設けた切欠部と、該切欠部の平行壁面から前記固定溝に向けて直交方向に設けた複数のネジ孔と、該ネジ孔に嵌合される固定ネジとからなり、前記刃物を固定した前記裏座を前記固定溝に挿入し、前記切欠部の平行壁のネジ孔に前記固定ネジを嵌合して前記裏座の側面の固定凹みに垂直方向から挿入した前記固定ネジで固定することにより、前記刃物を前記裏座とともに前記固定溝に固定するものであり、又、前記固定ネジと前記裏座の間にボールを挿入するものであり、さらに、前記固定ネジの先端を円弧状に形成するものである。
【０００５】
【発明の実施の形態】
本発明では、刃物の先端の突出長さを予め設定して裏座に交換可能に刃物が装着され、刃物が装着された裏座が挿入される固定溝と所望の間隔を開けて平行壁を構成するように切欠部を台金の表面から形成し、この切欠部の平行壁の壁面に裏座の側面に設けた固定凹みに対してほぼ垂直にネジ孔を形成し、このネジ孔に固定ネジを係合挿入して裏座を垂直に固定ネジで押えることにより、裏座が台金の固定溝に固定され、振動で僅かに緩んでも刃物や裏座にがたが生じることがなく、又、刃物の先端の突出長さが変化することはない。
【０００６】
【実施例】
図１は本発明の実施例の回転刃物装置の一部の断面図で、円筒状の台金９の表面から円筒の円の中心を通る線に対して平行な側壁１０ａ、１０ｂを設けた所望の深さの固定溝１０が形成され、この固定溝１０の一方の側壁１０ａは刃物１１が挿入される形状に凹んで形成され、さらに、刃物１１は固定溝１０に挿入される裏座１２の側面に交換可能に装着され、刃物１１が固定される裏座１２の対向側面１２ａに円弧状の固定凹み１２ｂが形成され、固定溝１０の他方の側壁１０ｂに平行に所望の間隔を開けて平行壁面１３ａが構成されるように切欠部１３が形成され、固定溝１０の側壁１０ｂと平行壁面１３ａとで平行壁１４が構成され、切欠部１３の平行壁面１３ａから垂直にネジ孔１５が形成され、このネジ孔１５に固定ネジ１６が係合挿入され、この固定ネジ１６の先端にボール１７が装着され、このボール１７は裏座１２の固定凹み１２ｂに嵌入されるようにネジ孔１６と対向する位置に設けられている。
【０００７】
このように構成された本実施例の回転刃物装置では、刃物１１の先端１１ａの突出長さが所定の長さになるように、裏座１２の下面１２ｃは固定溝１０の底面１０ｃに接触するまで挿入され、又、裏座１２が挿入された時、裏座１２の側面１２ａに形成された固定凹み１２ｂに固定ネジ１６の先端に設けたボール１７が挿入される位置に形成されているので、固定ネジ１６が切欠部１３の平行壁１３ａに設けたネジ孔１５に挿入係合されて固定されると、固定ネジ１６の先端のボール１７が嵌合される裏座１２の固定凹み１２ｂは刃物１１の対向部分に垂直に裏座１２を押圧するので、刃物１１は確実に固定溝１０の中に固定され、固定ネジ１６は殆ど緩むことがなく、又、たとえ緩んだとしても、固定ネジ１６の先端のボール１７が裏座１２の固定凹み１２ｂに嵌合しているので、裏座１２や刃物１１にがたが生じることがない。
【０００８】
図２は本発明の他の実施例の回転刃物装置の一部の断面図で、９は円筒状の台金、１０は固定溝、１１は刃物、１２は裏座、１３は切欠部、１４平行壁、１５はネジ孔、１６は固定ネジ、１７はボールであり、これらの構成は上記実施例と同じであるので、説明は省略するが、本実施例では、固定ネジ１６の先端１６ａが円弧状に構成され、裏座１２の固定凹み１２ｂに嵌合するように構成されている。
【０００９】
このように構成した本発明においても、上記実施例と同様に固定凹み１２ｂは刃物１１の対向部分に垂直に裏座１２を押圧するので、刃物１１は確実に固定溝１０の中に固定され、固定ネジ１６は殆ど緩むことがなく、又、たとえ緩んだとしても、固定ネジ１６の先端のボール１７が裏座１２の固定凹み１２ｂに嵌合しているので、裏座１２や刃物１１にがたが生じることがない。
【００１０】
なお、上記実施例において、固定ネジ１６の先端にボール１７を設けたり、固定ネジ１６の先端を円弧状に構成したが、固定ネジ１６の先端を円筒状のままに構成し、裏座１２の固定凹み１２ｂも円筒状の凹みに構成してもよいし、又、固定凹み１２ｂをＶ字型に構成してもよいし、さらに、円筒状の台金９に刃物１１及び裏座１２を図３に示すように４つ設けてもよいし、２つ設けてもよい。
【００１１】
【発明の効果】
以上説明したように、本発明の回転刃物装置では、刃物の先端の突出長さを予め設定して裏座に交換可能に刃物が装着され、刃物が装着された裏座が挿入される固定溝と所望の間隔を開けて平行壁を構成するように切欠部を台金の表面から形成し、この切欠部の平行壁の壁面に裏座の側面に設けた固定凹みに対してほぼ垂直にネジ孔を形成し、このネジ孔に固定ネジを係合挿入して裏座を垂直に固定ネジで押えることにより、裏座が台金の固定溝に確実に固定され、振動で僅かに緩んでも刃物や裏座にがたが生じることがなく、又、刃物の先端の突出長さが変化することはないという利点がある。
【図面の簡単な説明】
【図１】本発明の実施例の回転刃物装置の断面図である。
【図２】本発明の他の実施例の回転刃物装置の断面図である。
【図３】従来の回転刃物装置の先端から見た図である。
【図４】図３の回転刃物装置の一部の断面図である。
【符号の説明】
９                        円筒状の台金
１０                      固定溝
１１                      刃物
１２                      裏座
１３                      切欠部
１４                      平行壁
１５                      ネジ孔
１６                      固定ネジ
１７                      ボール
【図１】
2004181907.tif 000003
【図２】
2004181907.tif 000004
【図３】
2004181907.tif 000005
【図４】
2004181907.tif 000006